【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】  像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、
前記画像形成装置に設けられる制御部にて、前記画像形成装置が所定時間ｔ１の間、停止状態にあることが検知されたとき、
前記中間転写体を所定時間ｔ２の間、回転させることを特徴とする画像形成装置。
【請求項２】  像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、
前記中間転写体に接触もしくは近接させて、前記熱定着手段により温められる温度が最も上昇する部分に、前記中間転写体の温度を検知する温度検知手段を設け、
前記画像形成装置が停止状態にあると共に、前記温度検知手段による検知温度が所定温度Ｔ１以上になったことが検知されたとき、
前記中間転写体を所定時間ｔ３の間、回転させることを特徴とする画像形成装置。
【請求項３】  像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、
前記中間転写体に接触もしくは近接させて、前記熱定着手段により温められる温度が最も上昇する部分に、前記中間転写体の温度を検知する温度検知手段を設け、
前記画像形成装置の停止中に、前記温度検知手段による検知温度が所定温度Ｔ１以上になったことを検知したとき、前記中間転写体の回転を開始させると共に、
前記温度検知手段による前記中間転写体の一周分の検知最大温度が所定温度Ｔ２以下になったときに、前記中間転写体の回転を停止させることを特徴とする画像形成装置。
【請求項４】  前記中間転写体がベルト形状であることを特徴とする請求項１〜３の何れか１項に記載の画像形成装置。
【請求項５】  前記中間転写体を張架する前記ローラ部材の内の１つのローラ部材を冷却用ローラ部材として、前記中間転写体が前記熱定着手段と近接する位置から前記像担持体と接触する位置との間に配設することを特徴とする請求項４に記載の画像形成装置。
【請求項６】  前記冷却用ローラ部材は、前記中間転写体より熱伝導が良く、また前記中間転写体より熱容量が大きいことを特徴とする請求項５に記載の画像形成装置。
【請求項７】  前記画像形成装置の排風手段を前記冷却用ローラ部材の端部に隣接して配設することを特徴とする請求項６に記載の画像形成装置。
【請求項８】  前記中間転写体を回転させる際には、前記像担持体と前記中間転写体との接触を解除することを特徴とする請求項１〜７の何れか１項に記載の画像形成装置。
【請求項９】  前記中間転写体上のトナー像を前記中間転写体から前記記録材へ転写する前記第２の転写手段を、前記中間転写体に接触して設けると共に、前記中間転写体を回転させる際には、前記第２の転写手段の前記中間転写体との接触を解除することを特徴とする請求項１〜８の何れか１項に記載の画像形成装置。
【請求項１０】  前記中間転写体から前記記録材へのトナー像の転写が行われる第２の転写手段の転写域より前記中間転写体の回転方向下流側に、前記中間転写体に接触し、前記中間転写体上の転写残トナーや付着物を除去する中間転写体クリーニング部材を設け、前記中間転写体が回転する際には、前記中間転写体クリーニング部材の前記中間転写体との接触を解除させることを特徴とする請求項１〜９の何れか１項に記載の画像形成装置。
【請求項１１】  前記熱定着手段の設定温度により、前記所定時間ｔ１、ｔ２を変更することを特徴とする請求項８に記載の画像形成装置。
【手続補正２】
【補正対象書類名】明細書
【補正対象項目名】０００７
【補正方法】変更
【補正の内容】
【０００７】
【課題を解決するための手段】
上記目的は、像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、前記画像形成装置に設けられる制御部にて、前記画像形成装置が所定時間ｔ１の間、停止状態にあることが検知されたとき、前記中間転写体を所定時間ｔ２の間、回転させることを特徴とする画像形成装置によって達成される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、上記目的は、像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、前記中間転写体に接触もしくは近接させて、前記熱定着手段により温められる温度が最も上昇する部分に、前記中間転写体の温度を検知する温度検知手段を設け、前記画像形成装置が停止状態にあると共に、前記温度検知手段による検知温度が所定温度Ｔ１以上になったことが検知されたとき、前記中間転写体を所定時間ｔ３の間、回転させることを特徴とする画像形成装置によって達成される。
【手続補正６】
【補正対象書類名】明細書
【補正対象項目名】００１１
【補正方法】変更
【補正の内容】
【００１１】
また、上記目的は、像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、前記中間転写体に接触もしくは近接させて、前記熱定着手段により温められる温度が最も上昇する部分に、前記中間転写体の温度を検知する温度検知手段を設け、前記画像形成装置の停止中に、前記温度検知手段による検知温度が所定温度Ｔ１以上になったことを検知したとき、前記中間転写体の回転を開始させると共に、前記温度検知手段による前記中間転写体の一周分の検知最大温度が所定温度Ｔ２以下になったときに、前記中間転写体の回転を停止させることを特徴とする画像形成装置によって達成される。
【手続補正７】
【補正対象書類名】明細書
【補正対象項目名】００１３
【補正方法】変更
【補正の内容】
【００１３】
本発明に共通する画像形成装置の一実施形態の画像形成プロセス及び各機構について、図１を用いて説明する。図１は、本発明に共通する画像形成装置の一実施形態を示すカラー画像形成装置の要部断面構成図である。
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】削除
【補正の内容】
【手続補正１１】
【補正対象書類名】明細書
【補正対象項目名】００４０
【補正方法】削除
【補正の内容】
【手続補正１２】
【補正対象書類名】明細書
【補正対象項目名】００４１
【補正方法】削除
【補正の内容】
【手続補正１３】
【補正対象書類名】明細書
【補正対象項目名】００４２
【補正方法】削除
【補正の内容】
【手続補正１４】
【補正対象書類名】明細書
【補正対象項目名】００４３
【補正方法】削除
【補正の内容】
【手続補正１５】
【補正対象書類名】明細書
【補正対象項目名】００４４
【補正方法】削除
【補正の内容】
【手続補正１６】
【補正対象書類名】明細書
【補正対象項目名】００４５
【補正方法】削除
【補正の内容】
【手続補正１７】
【補正対象書類名】明細書
【補正対象項目名】００４６
【補正方法】削除
【補正の内容】
【手続補正１８】
【補正対象書類名】明細書
【補正対象項目名】００４７
【補正方法】削除
【補正の内容】
【手続補正１９】
【補正対象書類名】明細書
【補正対象項目名】００４８
【補正方法】変更
【補正の内容】
【００４８】
本発明の実施の形態
本発明の実施の形態にかかわる中間転写体の温度上昇防止について、図４及び図５または図６を用いて説明する。図４は、中間転写体の温度上昇防止制御ブロック図である。図５は、本発明の実施の形態にかかわる中間転写体の温度上昇の防止方法の説明図であり、図６は、図５の冷却用ローラ部材の冷却方法を示す図である。
【手続補正２０】
【補正対象書類名】明細書
【補正対象項目名】００５９
【補正方法】変更
【補正の内容】
【００５９】
上記の如く、画像形成装置の停止時に中間転写体を回転させて、中間転写体の温度上昇した部分を温度の低い像担持体などに接触させることにより熱を逃がしてやることで、熱定着手段と中間転写体の位置関係や距離などの制約による装置の大型化や、遮熱手段による装置の複雑化を伴うことなく、簡単な構成で、且つ最小のエネルギーで、中間転写体の温度上昇を抑制することが可能となる。特に、局所的な中間転写体の温度上昇を抑えることが可能となる。
次に、本発明とは別の達成手段について説明する。
（１）像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、前記中間転写体に接触もしくは近接させて温度検知手段を設けると共に、前記中間転写体に近接させて少なくとも１つの排風手段を設け、前記温度検知手段の検知温度によって前記排風手段を動作させることを特徴とする画像形成装置によって達成される（達成手段Ａ）。
（２）像担持体の周囲に、前記像担持体を帯電する帯電手段、前記像担持体に画像書込を行い潜像を形成する画像書込手段、前記像担持体上の潜像を現像する現像手段を配設して、前記像担持体上にトナー像を形成すると共に、前記像担持体上に形成されたトナー像を第１の転写手段により、前記像担持体から中間転写体へ転写し、前記中間転写体上のトナー像を第２の転写手段により、前記中間転写体から記録材へ転写した後、前記記録材上のトナー像を熱定着手段により定着する画像形成装置において、前記中間転写体に接触もしくは近接させて温度検知手段を設けると共に、前記中間転写体へ送風する中間転写体冷却手段を設け、前記温度検知手段の検知温度によって前記中間転写体冷却手段を動作させることを特徴とする画像形成装置によって達成される（達成手段Ｂ）。
以下に、達成手段Ａ及びＢに係る実施の形態について、図２、図３及び前述した図４を用いて説明する。
図２は、中間転写体の温度上昇の防止方法の説明図であり、図３は、図２のヒートパイプの冷却方法を示す図である。
図２によれば、図１にて前述したように、各色毎の像担持体である感光体ドラム１０の周囲に、感光体ドラム１０を帯電する帯電手段である帯電ローラ１１、帯電ローラ１１により一様帯電された感光体ドラム１０に画像書込を行い潜像を形成する画像書込手段である露光光学系１２、感光体ドラム１０上の潜像を現像する現像手段である現像装置１３をそれぞれ配設して、感光体ドラム１０上にトナー像を形成すると共に、各色毎の感光体ドラム１０上に形成されたトナー像を各色毎の第１の転写手段である１次転写ローラ１４ｃにより、感光体ドラム１０から、好ましくはベルト形状の中間転写体である中間転写ベルト１４ａへ転写し、中間転写ベルト１４ａ上のトナー像を第２の転写手段である２次転写ローラ１４ｇにより、中間転写ベルト１４ａから記録材としての記録紙Ｐへ転写した後、少なくとも何れか一方に、例えばハロゲンヒータ等の熱源を内部に配する定着ローラ１７ａと圧着ローラ１７ｂとを有する熱定着手段である熱定着装置１７により、記録紙Ｐ上のトナー像を定着して画像形成が行われる。転写後の各色毎の感光体ドラム１０の周面上に残った転写残トナーは、各色毎の像担持体クリーニング手段である感光体クリーニング装置１９０の、感光体ドラム１０と当接（接触）状態とされる、感光体クリーニング部材である感光体クリーニングブレード１９１によりクリーニングされる。また、転写後の中間転写ベルト１４ａの周面上に残った転写残トナーは、中間転写ベルト１４ａを挟んでクリーニング対向ローラ１４ｆに対向して設けられる中間転写体クリーニング手段である中間転写体クリーニング装置１９０ａの、中間転写ベルト１４ａと当接（接触）状態とされる、中間転写体クリーニング部材であるの中間転写体クリーニングブレード１９１ａによりクリーニングされる。
また図２に示すように、熱源を有する熱定着装置１７により温められる中間転写ベルト１４ａの温度が最も上昇するような、中間転写ベルト１４ａの熱定着装置１７と近接する部分に、中間転写ベルト１４ａに接触もしくは近接させて、中間転写ベルト１４ａの温度を検知する温度検知手段としての温度センサＴＳ１を設け、中間転写ベルト１４ａの温度を測定（検知）する。
また上記において、図２に示すように、熱定着装置１７及び中間転写ベルト１４ａに隣接した位置に、機内（画像形成装置内部）からの排風を行い、中間転写ベルト１４ａを冷却するための排風手段である排風ファンＦ１を設ける。
上記において、図４に示すように、中間転写ベルト１４ａの温度を検知する温度検知手段としての温度センサＴＳ１の検知温度により、排風手段である排風ファンＦ１を制御部を通して動作させる。この際、予め記憶部のＲＯＭ内に複数の段階の設定温度と、該複数の段階の設定温度に対応した排風ファンＦ１の回転速度とを対（参照テーブル）として記憶しておき、参照テーブルを参照し、温度センサＴＳ１により検知される中間転写ベルト１４ａの温度が、設定温度となったときに、排風ファンＦ１の回転速度を切り替えて、排風量を変更する。排風ファンＦ１の排風量は、高い設定温度の方が排風量が増加されるように（排風ファンＦ１の回転速度が速くなるように）、設定、制御される。
上記により、中間転写体の温度検知手段の温度検知により排風動作が行われる排風手段により、熱定着手段と中間転写体の位置関係や距離などの制約による装置の大型化や、遮熱手段による装置の複雑化を伴うことなく、且つ最小のエネルギーで、中間転写体の温度上昇を抑制することが可能となる。また、複数の段階的な制御により排風手段による中間転写体の温度上昇を抑制することが、より正確に行われる。
また前記において、図２に示すように、中間転写ベルト１４ａに隣接した位置に、中間転写ベルト１４ａへの送風を行い、中間転写ベルト１４ａを冷却するための中間転写体冷却手段である中間転写体冷却ファンＦ２を設ける。
上記において、図４に示すように、中間転写ベルト１４ａの温度を検知する温度検知手段としての温度センサＴＳ１の検知温度により、中間転写体冷却手段である中間転写体冷却ファンＦ２を制御部を通して作動させる。この際、予め記憶部のＲＯＭ内に複数の段階の設定温度と、該複数の段階の設定温度に対応した中間転写体冷却ファンＦ２の回転速度とを対（参照テーブル）として記憶しておき、参照テーブルを参照し、温度センサＴＳ１により検知される中間転写ベルト１４ａの温度が、設定温度となったときに、中間転写体冷却ファンＦ２の回転速度を切り替えて、送風量を変更する。中間転写体冷却ファンＦ２の送風量は、高い設定温度の方が送風量が増加されるように（中間転写体冷却ファンＦ２の回転速度が速くなるように）、設定、制御される。図４の例では、中間転写体冷却ファンＦ２のｏｎ時に中間転写ベルト１４ａを回転させた方が、より冷却効果が高い。
上記により、中間転写体の温度検知手段の温度検知により送風動作が行われる中間転写体冷却手段により、熱定着手段と中間転写体の位置関係や距離などの制約による装置の大型化や、遮熱手段による装置の複雑化を伴うことなく、且つ最小のエネルギーで、中間転写体の温度上昇を抑制することが可能となる。また、複数の段階的な制御により中間転写体冷却手段による中間転写体の温度上昇を抑制することが、より正確に行われる。
また前記において、図２に示すように、中間転写ベルト１４ａを張架するローラ部材の内の少なくとも１つ、例えば図２において熱定着装置１７に最も隣接する部分の下流側にある従動ローラ１４ｅにヒートパイプＨＰを設ける。また図３に示すように、ヒートパイプＨＰの端部に、ヒートパイプＨＰからの排風、或いは図３に一点鎖線で示す、ヒートパイプＨＰへの送風を行い、ヒートパイプＨＰを冷却するためのヒートパイプローラ冷却手段であるヒートパイプローラ冷却ファンＦ３を設ける。
上記において、図４に示すように、中間転写ベルト１４ａの温度を検知する温度検知手段としての温度センサＴＳ１の検知温度により、ヒートパイプローラ冷却手段であるヒートパイプローラ冷却ファンＦ３を制御部を通して作動させる。この際、予め記憶部のＲＯＭ内に複数の段階の設定温度と、該複数の段階の設定温度に対応したヒートパイプローラ冷却ファンＦ３の回転速度とを対（参照テーブル）として記憶しておき、参照テーブルを参照し、温度センサＴＳ１により検知される中間転写ベルト１４ａの温度が、設定温度となったときに、ヒートパイプローラ冷却ファンＦ３の回転速度を切り替えて、排風量或いは送風量を変更する。ヒートパイプローラ冷却ファンＦ３の排風量或いは送風量は、高い設定温度の方が風量が増加されるように（ヒートパイプローラ冷却ファンＦ３の回転速度が速くなるように）、設定、制御される。
上記達成手段Ａによれば、中間転写体の温度検知手段の温度検知により排風動作が行われる排風手段により、熱定着手段と中間転写体の位置関係や距離などの制約による装置の大型化や、遮熱手段による装置の複雑化を伴うことなく、且つ最小のエネルギーで、中間転写体の温度上昇を抑制することが可能となる。
達成手段Ａにおいて、前記排風手段の排風量が複数の段階に制御可能であると共に、前記温度検知手段の検知する温度が高いほど前記排風手段の排風量を増加させることにより、排風手段による中間転写体の温度上昇を抑制することが、より正確に行われる。
上記達成手段Ｂによれば、中間転写体の温度検知手段の温度検知により送風動作が行われる中間転写体冷却手段により、熱定着手段と中間転写体の位置関係や距離などの制約による装置の大型化や、遮熱手段による装置の複雑化を伴うことなく、且つ最小のエネルギーで、中間転写体の温度上昇を抑制することが可能となる。
達成手段Ｂにおいて、前記中間転写体冷却手段の送風量が複数の段階に制御可能であると共に、前記温度検知手段の検知する温度が高いほど前記中間転写体冷却手段の送風量を増加させることにより、中間転写体冷却手段による中間転写体の温度上昇を抑制することが、より正確に行われる。
達成手段Ｂにおいて、前記中間転写体をベルト形状とすることにより、ベルト形状の中間転写体の温度上昇を抑制することが可能となる。
達成手段Ｂにおいて、前記中間転写体を張架するローラ部材の内、少なくとも１つがヒートパイプローラからなり、前記ヒートパイプローラの端部に送風或いは排風を行い、前記ヒートパイプローラの端部を冷却するヒートパイプローラ冷却手段を設けることにより、ヒートパイプローラ冷却手段によりベルト形状の中間転写体の効果的な冷却が可能となる。また、前記ヒートパイプローラ冷却手段の送風量或いは送風量が複数の段階に制御可能であると共に、前記温度検知手段の検知する温度が高いほど前記ヒートパイプローラ冷却手段の送風量或いは送風量を増加させることにより、ヒートパイプローラ冷却手段による中間転写体の温度上昇の抑制が、より正確に行われる。
【手続補正２１】
【補正対象書類名】明細書
【補正対象項目名】００６０
【補正方法】変更
【補正の内容】
【００６０】
【発明の効果】
請求項１によれば、画像形成装置が所定時間ｔ１の停止状態にあることを検知し、中間転写体を所定時間ｔ２の回転をさせることにより、熱定着手段と中間転写体の位置関係や距離などの制約による装置の大型化や、遮熱手段による装置の複雑化を伴うことなく、簡単な構成で、中間転写体の温度上昇を抑制することが可能となる。
【手続補正２２】
【補正対象書類名】明細書
【補正対象項目名】００６１
【補正方法】削除
【補正の内容】
【手続補正２３】
【補正対象書類名】明細書
【補正対象項目名】００６２
【補正方法】削除
【補正の内容】
【手続補正２４】
【補正対象書類名】明細書
【補正対象項目名】００６３
【補正方法】削除
【補正の内容】
【手続補正２５】
【補正対象書類名】明細書
【補正対象項目名】００６４
【補正方法】削除
【補正の内容】
【手続補正２６】
【補正対象書類名】明細書
【補正対象項目名】００６５
【補正方法】削除
【補正の内容】
【手続補正２７】
【補正対象書類名】明細書
【補正対象項目名】００６６
【補正方法】削除
【補正の内容】
【手続補正２８】
【補正対象書類名】明細書
【補正対象項目名】００６７
【補正方法】削除
【補正の内容】
【手続補正２９】
【補正対象書類名】明細書
【補正対象項目名】００６８
【補正方法】変更
【補正の内容】
【００６８】
請求項２によれば、中間転写体の温度検知手段により、熱定着手段などの発熱部に近接した部分の中間転写体の温度上昇が所定温度Ｔ１以上になった状態を正確に検知し、中間転写体を所定時間ｔ３の回転をさせることにより、中間転写体の温度上昇した部分を温度の低い像担持体などに接触させることにより熱を逃がしてやることで、熱定着手段と中間転写体の位置関係や距離などの制約による装置の大型化や、遮熱手段による装置の複雑化を伴うことなく、簡単な構成で、中間転写体の温度上昇を抑制することが可能となる。特に、局所的な中間転写体の温度上昇を抑えることが可能となる。
【手続補正３０】
【補正対象書類名】明細書
【補正対象項目名】００６９
【補正方法】変更
【補正の内容】
【００６９】
請求項３によれば、温度検知手段により、熱定着手段などの発熱部に近接した部分の中間転写体の温度上昇が所定温度Ｔ１以上になった状態を正確に検知し、中間転写体を回転させると共に、温度検知手段による中間転写体の一周分の検知最大温度が所定温度Ｔ２以下になったときに、中間転写体の回転を停止させてやることにより、中間転写体の温度上昇した部分を温度の低い像担持体などに接触させることにより熱を逃がしてやることで、熱定着手段と中間転写体の位置関係や距離などの制約による装置の大型化や、遮熱手段による装置の複雑化を伴うことなく、簡単な構成で、且つ最小のエネルギーで、中間転写体の温度上昇を抑制することが可能となる。特に、局所的な中間転写体の温度上昇を抑えることが可能となる。
【手続補正３１】
【補正対象書類名】明細書
【補正対象項目名】００７０
【補正方法】変更
【補正の内容】
【００７０】
請求項４または５によれば、冷却用ローラ部材をベルト形状の中間転写体が熱定着手段と近接する部分から像担持体と接触する部分までの間に備えることにより、ベルト形状の中間転写体の温度上昇した部分を温度の低い冷却用ローラ部材や像担持体などに接触させることにより熱を逃がしてやることで、熱定着手段と中間転写体の位置関係や距離などの制約による装置の大型化や、遮熱手段による装置の複雑化を伴うことなく、簡単な構成で、且つ最小のエネルギーで、中間転写体の温度上昇を抑制することが可能となる。特に、局所的な中間転写体の温度上昇を抑えることが可能となる。
【手続補正３２】
【補正対象書類名】明細書
【補正対象項目名】００７１
【補正方法】変更
【補正の内容】
【００７１】
請求項６によれば、冷却用ローラ部材をベルト形状の中間転写体よりも熱伝導が良く、また熱容量の大きい部材で構成することにより、ベルト形状の中間転写体の熱を効率よく逃がしてやることが可能となる。
【手続補正３３】
【補正対象書類名】明細書
【補正対象項目名】００７２
【補正方法】変更
【補正の内容】
【００７２】
請求項７によれば、冷却用ローラ部材によるベルト形状の中間転写体の冷却がより効果的に行われる。
【手続補正３４】
【補正対象書類名】明細書
【補正対象項目名】００７３
【補正方法】変更
【補正の内容】
【００７３】
請求項８ないし１０によれば、中間転写体を回転させる際に、中間転写体と像担持体とを、中間転写体と第２の転写手段とを、中間転写体と中間転写体クリーニング部材とを、離間させることにより、中間転写体や像担持体の摩耗、第２の接触転写手段や中間転写体クリーニング部材の摩耗を抑えることが可能となる。
【手続補正３５】
【補正対象書類名】明細書
【補正対象項目名】００７４
【補正方法】変更
【補正の内容】
【００７４】
請求項１１によれば、熱定着手段の設定温度に応じて、熱定着手段の設定温度により所定時間ｔ１、ｔ２の時間を変えることにより、熱定着手段の設定温度に応じた、必要最小限の回転で中間転写体の温度上昇を抑制することが可能となる。
【手続補正３６】
【補正対象書類名】明細書
【補正対象項目名】図１
【補正方法】変更
【補正の内容】
【図１】
本発明に共通する画像形成装置の一実施形態を示すカラー画像形成装置の要部断面構成図である。
【手続補正３７】
【補正対象書類名】明細書
【補正対象項目名】図２
【補正方法】変更
【補正の内容】
【図２】
中間転写体の温度上昇の防止方法の説明図である。
【手続補正３８】
【補正対象書類名】明細書
【補正対象項目名】図５
【補正方法】変更
【補正の内容】
【図５】
中間転写体の温度上昇の防止方法の説明図である。